(57)【要約】【課題】人体イメージキャプチャー装置を提供する。【解決手段】デジタルイメージキャプチャーモジュールを有し、人体に対して同一の参考点を基礎としてスキャンと写真撮影を行い、同時に前記人体スキャンと写真イメージを取得し、これらの前記データを編集（ｒｅｎｄｅｒｉｎｇ）してデジタルイメージデータとする。この人体イメージキャプチャー装置を利用して、まず人体が最も良好な時に人体に対してスキャンをし、デジタルイメージを作製して保存バンク中に保存する。その後、医療或いは美容行為を行う時、前記保存バンクからデジタルイメージを取り出し表示し、医者に前記デジタルイメージデータ比較を提供し、医療或いは美容手術を行う。このように、手術をされる者が言うことが不明確で手術の過失が形成されることを完全に防ぐ。【選択図】図１
2014012116.tif 000002
【特許請求の範囲】
【請求項１】
医療或いは美容用のデジタルイメージ保存システムであって、
デジタルイメージキャプチャーモジュールを有し、人体が最も良好な時間に前記人体に対して同一の参考点を基礎としてシンクスキャンと写真撮影を行い、前記人体の各部分の完全な軟組織、硬組織など実質組織と外部皮膚の色のデータを取得し、これらの前記データをデジタルイメージに編集する（ｒｅｎｄｅｒｉｎｇ）人体イメージキャプチャー装置と、
前記人体イメージキャプチャー装置と電気的に接続され、前記デジタルイメージを受け取り保存するために用いられる保存装置と、
前記保存装置と電気的に接続され、前記デジタルイメージを表示するために用いられる表示装置と、
を含むことを特徴とする、医療或いは美容用のデジタルイメージ保存システム。
【請求項２】
前記デジタルイメージキャプチャーモジュールはさらにスキャンユニットと写真ユニットを有し、前記スキャンユニットは全身スキャン（ｆｕｌｌ  ｂｏｄｙ  ｓｃａｎ）、磁気共鳴映像法（ｍａｇｎｅｔｉｃ  ｒｅｓｏｎａｎｃｅ  ｉｍａｇｉｎｇ，  ＭＲＩ）、超音波映像（ｕｌｔｒａｓｏｕｎｄ  ｉｍａｇｉｎｇ）、コンピューター断層スキャン（ＣＴスキャン）及び口内外口腔スキャン（ｉｎｔｒａ  ａｎｄ  ｅｘｔｒａ  ｏｒａｌ  ｓｃａｎ）のいずれか１種を含むことを特徴とする、請求項１に記載の医療或いは美容用のデジタルイメージ保存システム。
【請求項３】
前記写真ユニットはカラー写真を撮影するカメラを有することを特徴とする、請求項２に記載の医療或いは美容用のデジタルイメージ保存システム。
【請求項４】
前記人体イメージキャプチャー装置はさらに互いに電気的に接続される制御装置と通信モジュールを含み、編集を完了したデジタルイメージを伝送させることを特徴とする、請求項１に記載の医療或いは美容用のデジタルイメージ保存システム。
【請求項５】
前記保存装置はさらに互いに電気的に接続される保存バンク、制御装置と通信モジュールを含むことを特徴とする、請求項１に記載の医療或いは美容用のデジタルイメージ保存システム。
【請求項６】
前記表示装置はさらに互いに電気的に接続される制御装置と通信モジュールを含むことを特徴とする、請求項１に記載の医療或いは美容用のデジタルイメージ保存システム。
【請求項７】
医療或いは美容用の人体データ比較方法であって、
デジタルイメージキャプチャーモジュールを有する人体イメージキャプチャー装置を提供し、人体に対して同一の参考点を基礎としてシンクスキャンと写真撮影を行い、前記人体の各部分の完全な軟組織、硬組織と外部皮膚の色のデータを取得するステップと、
これらの前記デジタルデータを人体デジタルイメージに編集する（ｒｅｎｄｅｒｉｎｇ）ステップと、
前記人体個人データに基づき、前記デジタルイメージを保存バンクに保存するステップと、
医療或いは美容行為を行う時に、前記人体個人データに基づき、前記保存バンクから前記デジタルイメージを取り出すステップと、
前記デジタルイメージを比較し、医療或いは美容手術を行うステップと、
を含むことを特徴とする、医療或いは美容用の人体データ比較方法。
【発明の詳細な説明】
【技術分野】
【０００１】
本発明は、医療或いは美容用のデジタルイメージ保存システムに関し、より詳しくは医療或いは美容用の人体データ比較方法に関する。
【背景技術】
【０００２】
現在いくつかの医療機関ではいくつかの医療関係物の保存を提供しており、例えば、幹細胞、静止、卵子、臍帯血等の保存バンクがあり、その後必要な時に使用する。
【０００３】
しかしながら、前述した従来の技術では、これら医療関係物の保存はどれも人体自身から取られるものであり、ある決まった用途にだけ用いられる。しかし、外科医療手術や美容手術において、これら保存バンクは全く貢献しない。
【０００４】
医療手術或いは美容手術は通常人体を最も良好な体の状態に回復させるために行われ、例えば、皮膚の色、スタイルの比率、顔の長さなどが挙げられる。しかし、この最も良好な体の状態は、手術を受けるものにとっては、常々正確に描写できないものであり、手術を行う医者とのコミュニケーションの誤認をもたらし、その理想とする最良の体の状態を得ることができない。
【０００５】
そこで、本発明者は上記の欠点が改善可能と考え、鋭意検討を重ねた結果、合理的設計で上記の課題を効果的に改善する本発明の提案に到った。
【０００６】
本発明は、このような従来の問題に鑑みてなされたものである。上記課題解決のため、本発明は、医者がすばやく以前の参考データを比較した後、医療或いは美容の手術を行う人体データと比較する方法を提供することを主目的とする。
【発明の概要】
【課題を解決するための手段】
【０００７】
上述した課題を解決し、目的を達成するために、本発明に係る医療或いは美容用のデジタルイメージ保存システムは
デジタルイメージキャプチャーモジュールを有し、人体が最も良好な時間に前記人体に対して同一の参考点を基礎としてシンクスキャンと写真撮影を行い、前記人体の各部分の完全な軟組織、硬組織など実質組織と外部皮膚の色のデータを取得し、これらの前記データをデジタルイメージに編集する（ｒｅｎｄｅｒｉｎｇ）人体イメージキャプチャー装置と、
前記人体イメージキャプチャー装置と電気的に接続され、前記デジタルイメージを受け取り保存するために用いられる保存装置と、
前記保存装置と電気的に接続され、前記デジタルイメージを表示するために用いられる表示装置と、
を含むことを特徴とする。
【０００８】
この人体イメージキャプチャー装置を利用して、まず人体が最も良好な時に人体に対してスキャンをし、デジタルイメージを作製して保存バンク中に保存する。その後、医療或いは美容行為を行う時、前記保存バンクからデジタルイメージを取り出し表示し、医者に前記デジタルイメージデータ比較を提供し、医療或いは美容手術を行う。このように、手術をされる者が言うことが不明確で手術の過失が形成されることを完全に防ぐ。
【０００９】
また、本発明に係る医療或いは美容用の人体データ比較方法は
デジタルイメージキャプチャーモジュールを有する人体イメージキャプチャー装置を提供し、人体に対して同一の参考点を基礎としてシンクスキャンと写真撮影を行い、前記人体の各部分の完全な軟組織、硬組織と外部皮膚の色のデータを取得するステップと、
これらの前記デジタルデータを人体デジタルイメージに編集する（ｒｅｎｄｅｒｉｎｇ）ステップと、
前記人体個人データに基づき、前記デジタルイメージを保存バンクに保存するステップと、
医療或いは美容行為を行う時に、前記人体個人データに基づき、前記保存バンクから前記デジタルイメージを取り出すステップと、
前記デジタルイメージを比較し、医療或いは美容手術を行うステップと、
を含むことを特徴とする。
【００１０】
この人体イメージキャプチャー装置を利用して、まず人体が最も良好な時に人体デジタルイメージデータを取得する。そして、人体個人データに基づき、デジタルイメージデータを保存装置に保存する。その後、医療或いは美容行為を必要とする時、保存装置からデジタルイメージデータを取り出し、表示装置上に表示し、医者は表示されるデジタルイメージデータに基づき、正確な参考データを得ることができる。
【００１１】
本発明によれば、医者がすばやく以前の参考データを比較した後、医療或いは美容の手術を行う人体データと比較する方法が得られる。
【図面の簡単な説明】
【００１２】
【図１】本発明の医療或いは美容用のデジタルイメージ保存システムのブロック図である。
【図２】本発明の医療或いは美容用の人体データ比較方法のフローチャートである。
【発明を実施するための形態】
【００１３】
以下に図面を参照して本発明を実施するための形態について、詳細に説明する。なお、本発明は、以下に説明する実施形態に限定されるものではない。
【００１４】
［第１実施形態］
まず、本発明の医療或いは美容用の人体データの比較方法の第１実施形態について説明する。
本発明の第１実施形態の構成を図１から図２に示す。図２は本発明の医療或いは美容用の人体データ比較方法のフローチャートであり、そのステップは
ａ）デジタルイメージキャプチャーモジュールを有する人体イメージキャプチャー装置を提供し、人体に対して同一の参考点を基礎としてシンクスキャンと写真撮影を行い、前記人体の各部分の完全な軟組織、硬組織など実質構造と外部皮膚の色のイメージデータを取得する
ｂ）これらの前記デジタルデータを編集して（ｒｅｎｄｅｒｉｎｇ）、人体デジタルイメージを形成する
ｃ）前記人体個人データに基づき、前記デジタルイメージを保存バンクに保存する
ｄ）医療或いは美容において、未来再建（ｆｕｔｕｒｅ  ｒｅｃｏｎｓｔｒｕｃｔｉｏｎ）、個人成長パター研究（ｓｔｕｄｙ  ｏｆ  ｈｏｗ  ｉｎｄｉｖｉｄｕａｌ  ｇｒｏｗｔｈ  ｐａｔｔｅｒｎ）、学術研究（ｆｏｒｅｎｓｉｃ）及び娯楽目的（ｒｅｃｒｅａｔｉｏｎａｌ  ｐｕｒｐｏｓｅ）で行う時、前記人体個人データに基づき、前記保存バンクから前記デジタルイメージを取り出す
ｅ）前記デジタルイメージを比較して、医療或いは美容手術を行う
【００１５】
実際に応用するとき、人体の最も良好な時期は、例えば、十八歳から二十八歳の間であり、人体全体は人体イメージキャプチャー装置によってシンクスキャンと写真撮影が行われ、それぞれのイメージデータが取得され、さらにこれら前記シンクスキャンと写真撮影によって取得されたイメージデータはデジタルイメージに編集される。スキャンプログラムによって取得されるイメージデータは人体骨格、組織など実質構造を含み、写真撮影プログラムによって取得されるイメージデータは外表皮など色データを含む。そして、例えば、出生日、氏名や個人ＩＤ等の個人データに基づき、このデジタルイメージは保存バンクに保存され、永久保存される。その後、個人が医療或いは美容行為を必要とするとき、保存バンクからこのデジタルイメージを取り出して表示し、医者はこのデータを参考にして修復手術を行うことができる。
【００１６】
人体の歯は長年の使用後に磨耗損傷し、皮膚の色は変化し、骨格は萎縮する。もし数年後に医療或いは美容など手術によって若い時の最も良好な状態に戻したいとき、保存バンクから壮年に保存したデータを探し出し、医者に直接比較参考として提供し、明確に言えないため誤解が引き起こされることがない。例えば、個人が美白をしたいとき、以前の皮膚の色を参考にして行うことができ、若いときの適切な白さを得ることができる。
【００１７】
また、もし歯科で応用するのであれば、歯医者は以前のデジタルイメージに基づき、元々の下あごの高さを探し出し、さし歯の高さの選択の便を図り、最も好ましい効果を達成する。また、もしその後膝関節を損傷したのであれば、外科医は以前のデジタルイメージを取得し、手術で入植する関節の高さを検討し、最も適切な高さを得ることができる。
【００１８】
本発明の方法に基づき、本発明は医療或いは美容用のデジタルイメージ保存システムをも提供し、図１を参考にすると本発明はデジタルイメージキャプチャーモジュール１１を有する人体イメージキャプチャー装置１を含み、前記デジタルイメージキャプチャーモジュール１１は更にスキャンユニット１１１と写真ユニット１１２から構成される。前記スキャンユニット１１１は全身スキャン（ｆｕｌｌ  ｂｏｄｙ  ｓｃａｎ）、磁気共鳴映像法（ｍａｇｎｅｔｉｃ  ｒｅｓｏｎａｎｃｅ  ｉｍａｇｉｎｇ，  ＭＲＩ）、超音波映像（ｕｌｔｒａｓｏｕｎｄ  ｉｍａｇｉｎｇ）、コンピューター断層スキャン（ＣＴスキャン）及び口内外口腔スキャン（ｉｎｔｒａ  ａｎｄ  ｅｘｔｒａ  ｏｒａｌ  ｓｃａｎ）等のいずれか１種類の機能を有し、これらスキャン機能は２Ｄや３Ｄのイメージスキャン機能を含み、前記写真ユニット１１２はカラー写真をキャプチャーするカメラを有し、人体が最も良好な時間に前記人体に対して、同一参考点を基礎としてスキャンを行い、前記人体の各部分の完全な軟組織、硬組織など実質組織と外部皮膚の色のデータを取得する。また、スキャンユニット１１と写真ユニット１１２によって得られるイメージデータに編集（ｒｅｎｄｅｒｉｎｇ）を行い、その両者によって得られるイメージデータはその部位に基づき、イメージ重複を行い、これをデジタルイメージとして形成し、これにより、その身体部分とその色の状況を明確に表示する。この人体イメージキャプチャー装置１を利用してまず、人体の最も良好な時に人体デジタルイメージを取得する。そして、人体個人データに基づき、デジタルイメージを保存装置２に保存する。その後、医療或いは美容を必要とし、未来再建（ｆｕｔｕｒｅ  ｒｅｓｏｎｓｔｒｕｃｔｉｏｎ）、個人成長パター研究（ｓｔｕｄｙ  ｏｆ  ｈｏｗ  ｉｎｄｉｖｉｄｕａｌ  ｇｒｏｗｔｈ  ｐａｔｔｅｒｎ）、学術研究（ｆｏｒｅｎｓｉｃ）及び娯楽目的（ｒｅｃｒｅａｔｉｏｎａｌ  ｐｕｒｐｏｓｅ）で行う時、保存装置２中からデジタルイメージを取り出し、表示装置３上に表示し、医者は表示されるデジタルイメージデータに基づき、正確な参考データを得ることができる。
【００１９】
図１では、人体イメージキャプチャー装置１のデジタルイメージキャプチャーモジュール１１は人体をスキャンすることによって、デジタルイメージデータを取得し、前記デジタルイメージキャプチャーモジュール１１内のスキャンユニット１１１と写真ユニット１１２を利用して、それぞれ関連するイメージデータを取得して編集を行い、制御装置１２を経て、前期デジタルイメージはあらかじめセットされたフォーマットに変換され、さらに通信モジュール１３を経て保存装置２に伝送される。
【００２０】
保存装置２は通信モジュール２３を有することによって人体イメージキャプチャー装置１が伝送するあらかじめセットされたフォーマットのデジタルイメージを受け取り、制御装置２２を経て、前記人体個人データに基づき、あらかじめセットされたフォーマットのデジタルイメージはデジタルイメージ保存バンク２１に保存される。
【００２１】
表示装置３は制御装置３２を有し、通信モジュール３３と保存装置２と接続することにより、前記人体のデジタルイメージを取得し、医療或いは美容ユニットデジタルイメージを表示装置３１上に表示する。
【００２２】
以上、本発明はこのような実施形態に限定されるものではなく、発明の趣旨を逸脱しない範囲において、種々の形態で実施することができる。
【符号の説明】
【００２３】
１  人体イメージキャプチャー装置
１１  デジタルイメージキャプチャーモジュール
１１１  スキャンユニット
１１２  写真ユニット
１２  制御装置
１３  通信モジュール
２  保存装置
２１  保存バンク
２２  制御装置
２３  通信モジュール
３  表示装置
３１  医療或いは美容ユニット用のデジタルイメージ表示装置
３２  制御装置
３３  通信モジュール
【図１】
2014012116.tif 000003
【図２】
2014012116.tif 000004